(57)【特許請求の範囲】
【請求項１】
太陽電池と蓄電部と回路基板を備えた台部と、この台部に設けた取付部より直立させたところの本体部と透光部とを軸方向へ連結して蝋燭の胴部の形状を模した筒部と、前記台部に設けたスイッチ装置と、前記透光部の上端に取り付けた内部に第１発光素子を収納して成る蝋燭の炎を模した形状を有する透光性材質の発光部と、前記透光部に設けた表示部とから成り、この表示部を、前記透光部内に設置した第２発光素子と、前記透光部内に表示させた図柄とで構成し、前記透光部には前記図柄を設けた部分を除いて塗装を施すことにより、前記第２発光素子からの光の多くが前記図柄を施した部分より外側へ放射されるように成し、もって前記図柄を前記透光部より浮き上がらせるように構成したことを特徴とする、灯明装置。
【請求項２】
請求項１に記載の灯明装置を内部に光源として用いたことを特徴とする、提燈。
【発明の詳細な説明】
【技術分野】
【０００１】
この発明は、光源にＬＥＤを用い、神社や仏閣及び神前や墓前或は仏壇等に用いて好適な灯明装置並びに提燈に関する。
【背景技術】
【０００２】
従来、火を光源とする蝋燭に代えて光源にＬＥＤを使用し、太陽電池と蓄電部を用いて点灯させる灯明装置が下記する特許文献１により公知である。
【０００３】
【特許文献１】登録第３０６７４３２号登録実用新案公報  この特許文献１に係る灯明装置は、太陽電池と蓄電池と、及び筒部とこの筒部の上端に設けた光源にＬＥＤを用いた発光部とから成り、日没前は太陽電池を用いてＬＥＤを発光させ、日没後には蓄電部に充電されている電気を用いてＬＥＤを発光させるものである。
【発明の開示】
【発明が解決しようとする課題】
【０００４】
この従来公知の灯明装置は、いちいち火をもって蝋燭の芯に着火させるという手間が省けると共に、風によって炎が消えてしまったり、転倒して火事の原因となったりすることがないので、管理がし易く、かつ安全性が高いという利点を有するが、単に蝋燭の火を模した炎状カバー体の中に設置した光源としてのＬＥＤを発光させるのみであったので、味気を欠いて有難味や敬虔さに欠け易い上に、蝋燭に火を着けて蝋燭立てに立てるという行為を伴わないものであったので、何となく物足りないという問題があった。
【０００５】
この発明の目的は、蝋燭の胴部に当たる筒体に設けた表示部をも光らせて、なんとなく味気なくなる灯明装置に付加価値を与え、かつ蝋燭を立てるという行為を伴うように工夫した灯明装置並びにこの灯明装置を用いた提燈を提供せんとするにある。
【課題を解決するための手段】
【０００６】
上述した目的を達成するためにこの発明は、太陽電池と蓄電部と回路基板を備えた台部と、この台部に設けた取付部より直立させたところの本体部と透光部とを軸方向へ連結して蝋燭の胴部の形状を模した筒部と、前記台部に設けたスイッチ装置と、前記透光部の上端に取り付けた内部に第１発光素子を収納して成る蝋燭の炎を模した形状を有する透光性材質の発光部と、前記透光部に設けた表示部とから成り、この表示部を、前記透光部内に設置した第２発光素子と、前記透光部内に表示させた図柄とで構成し、前記透光部には前記図柄を設けた部分を除いて塗装を施すことにより、前記第２発光素子からの光の多くが前記図柄を施した部分より外側へ放射されるように成し、もって前記図柄を前記透光部より浮き上がらせるように構成したことを特徴とする。
【０００７】
そして、この発明は、提灯の光源として、灯明装置を用いるものである。
【発明の効果】
【０００８】
この発明は、蝋燭の胴部に見立てた筒部を台部の取付部に差し込んで立てるという動作を行うことにより、発光部の点灯が可能となるので、灯明を上げる際に蝋燭を立てるという動作や気持ちを満足させることができる上に、図柄に工夫をこらし、例えばハスの花、仏像といった神社、仏閣に関連したものを用いると、敬虔さや有難さといった雰囲気を醸し出すことができる。また、この発明に係る灯明装置を提灯の光源として用いると、風が吹いても消えず、かつ安全性を高めることができるものである。
【発明を実施するための最良の形態】
【０００９】
以下にこの発明の一実施例を図面に基づいて詳細に説明する。
【実施例１】
【００１０】
図面によれば図１乃至図３において、指示記号１で示したものは台部であり、前面部表面の傾斜部１ａに太陽電池２が設置してある。台部１の内部には太陽電池によって充電される例えば２次電池から成る蓄電部３と、回路基板４が取り付けられている。尚、この蓄電部３はこれを大型コンデンサーで構成しても良い。台部１の上部には、上部を開放した筒状の取付部５が設けられ、この取付部の底部にスイッチ装置６の固定接点７が設置されている。
【００１１】
指示記号８のものは、蝋燭の胴部を模した例えば乳白色を呈した光不透過性材質の合成樹脂製の本体部８ａと、この本体部８ａの上部に接続された光透過性材質の透光部１３とから成る筒部であり、透光部１３の上端に蝋燭の炎の形状を模した、例えば合成樹脂製の発光部９が取り付けられており、この発光部９内部に例えばＬＥＤから成る第１発光素子１０が取り付けられている。この第１発光素子１０は、例えば赤色、橙色等の発光色を持つものであるが、白色の発光色を持つ第１発光素子１０を使用して発光部９に蝋燭の炎の色を模した着色を行うように構成しても良い。尚、着色は有彩色の樹脂を用いる場合と、外側或は内側へ炎の色を塗布させる場合の両方がある。
【００１２】
透光部１３ｇは、この透光部１３と、この透光部１３の内側に記載された例えばハスの花の図柄１４と、透光部１３内部に設置された例えばＬＥＤ等の第２発光素子１２と、で表示部１１を構成している。尚、図柄１４は透光部１３の外側に記載しても良い。記載方法は刻設、刻設した後の色入れ、印刷、筆入れ等、どの方法でも良い。図柄１４は、蓮の花の他にも、神像、仏像、神社、仏閣の等の、神社や仏閣に関連するものが望ましいが、このものに限定されない。
【００１３】
筒部８の本体部側と透光部１３、並びに筒部８と取付部５との間の接続方法は、図示のものは防水用のＯリング１５と１６を用いた防水構造の雄雌嵌合であるが、これを捻子着させるようにしても良く、嵌合の後、ひねって結合させるものであっても良い。
【００１４】
筒部８の下部の取付部５へ挿入させる部分には、防水用のＯリング１６が取り付けられると共に、取付部５の内側には、このＯリング１６の一部を嵌入させる周溝５ａが設けられることにより、防水構造となっている。
【００１５】
取付部５の内底部には、上述したように固定接点７が取り付けられると共に、筒部８の下端部には、スプリング１８を作用させた可動接点１９が取り付けられており、筒部８の下端部を取付部５へ挿入させた状態で、防水用のＯリング１６が周溝５ａに嵌入し、固定接点７と可動接点１９が互いに接触している。このように固定接点７と可動接点１９でスイッチ装置２０を構成している。尚、固定接点１７と可動接点１９とは、設置個所を逆にして、固定接点７を筒部８側に、可動接点１９を取付部８側に設けても良い。
【００１６】
図４は、本願発明に係る灯明装置の点灯回路のブロック図を示す。図面によれば、太陽電池２に光が当ることによって発生した電気は、充電回路２８を介して蓄電部３に充電される。
【００１７】
図３に示したように、筒部８の下端部が基台１の取付部５に挿入された状態において固定接点７と可動接点１９から成るスイッチ装置６がＯＮされ、駆動回路２９、タイマー３０を介して発光部９の第１発光素子１０と表示部１１の第２発光素子１２が一定時間点灯することになる。この点灯状態は、筒体８を取付部５より取り外すと消灯する。
【００１８】
この点灯回路のブロック図は一例であって、このブロック図に例えば発光部に蝋燭の炎のようなゆらぎを与える発振回路や、周囲が暗くなったり、太陽光が遮られたりした場合に、点灯回路を動作させる回路を取り付けることは任意である。
【００１９】
さらに、とくに図３において、指示記号３ａ，３ｂ・４ａ，４ｂ・１０ａ，１０ｂ・１２ａ，１２ｂはいずれも導線である。
【実施例２】
【００２０】
図５はこの発明に係る灯明装置のスイッチ装置の他の実施例を示し、この実施例に係るスイッチ装置２６は、図面に示したように、台部２５の表側に手動式のもので設けても良い。この図５に示したスイッチ装置２６は、押しボタン２７を押すことで、実施例１の第１及び第２発光素子１０，１２を点灯させるものである。尚、この実施例２のスイッチ装置２６は、実施例１のスイッチ装置６と並設して設けても良い。
【００２１】
さらに、スイッチ装置については、スイッチ装置６に代えて、或はこのスイッチ装置６と共に上述したように別に手動式のスイッチ装置を設けることができる。この手動式のスイッチ装置の設置個所については、図示のものに限定されない。台部の裏側、底部、側部当に設けられる。
【実施例３】
【００２２】
図６は、この発明に係る灯明装置の他の実施例を示す。図面によれば、筒体３１の本体部３１ａと表示部３２とは一体に形成されており、この表示部３２を構成する部分の前側の部分を光が透過する透光部３２ａとなるように構成されている。この透光部３２ａのみを光が透過するように構成する手段としては、筒体３１全体を光透過性材質のもので構成し、その内側或は外側に透光部３２ａの部分を除いて塗装を施す方法が最も望ましい。
【００２３】
表示部３２の内側には、透光部３２ａの側に面した部分に彫刻、或は印刷、成形等により形成された図柄３３ａを設けた筒状の表示部材３３が収装され、この表示部材３３内部にＬＥＤ等の第２発光素子３４が設置されている。さらに、表示部材３３の内側背面に位置する部分には反射部３３ｂが設けられており、第２発光素子３４から発した光が図柄３４ａを介して透光部３２ａより前方に放射される構成となっている。
【００２４】
表示部３２の上端にはその上部を縁部まで覆って蓋体３５が取り付けられ、この蓋体３５に内部に第１発光素子３６を収装させた発光部３７が取り付けられている。
【実施例４】
【００２５】
図７はこの発明に係る灯明装置の使用例を示す。図面によれば、提燈４０の中へ灯明装置４１を入れ、内底部に置くことにより提燈４０に明かりを灯すことができるものである。この場合提燈の種類に限定はない。雪洞であっても良い。
【産業上の利用可能性】
【００２６】
以上詳細に述べたように、この発明は、本物の蝋燭に代えて用いることのできる灯明装置、或はこの灯明装置を用いた提灯として好適である。
【図面の簡単な説明】
【００２７】
【図１】この発明に係る灯明装置の正面図である。
【図２】図１に示した灯明装置の左側面図である。
【図３】図１に示した灯明装置の一部を省略した左側断面図である。
【図４】図１に示した灯明装置の点灯回路のブロック図である。
【図５】この発明に係る灯明装置の他の実施例を示す説明図である。
【図６】この発明に係る灯明装置のさらに他の実施例を示す説明図である。
【図７】この発明に係る灯明装置を用いた提燈の正面図である。
【符号の説明】
【００２８】
１  台部
１ａ  傾斜部
２  太陽電池
３  蓄電部
４  回路基板
５  取付部
５ａ  周溝
６  スイッチ装置
７  固定接点
８  筒部
９  発光部
１０  第１発光素子
１１  表示部
１２  第２発光素子
１３  透光部
１４  図柄
１５，１６  Ｏリング
１８  スプリング
１９  可動接点
３１  筒体
３１ａ  本体部
３２  表示部
３２ａ  透光部
３３  表示部材
３３ａ  図柄
３３ｂ  反射部
３４  第２発光素子
３５  蓋体
３６  第１発光素子
３７  発光部
４０  提燈
４１  灯明装置
【図１】
0004806167.tif 000002
【図２】
0004806167.tif 000003
【図３】
0004806167.tif 000004
【図４】
0004806167.tif 000005
【図５】
0004806167.tif 000006
【図６】
0004806167.tif 000007
【図７】
0004806167.tif 000008